(57)【特許請求の範囲】
【請求項１】
担体添加活性汚泥法で、反応槽内に担体を浮遊させるため、反応槽内へ回転軸を垂設して回転軸に攪拌羽根を設け、攪拌羽根を３〜１０ｒｐｍの低速で回転させ、攪拌羽根の回転で反応槽内の下水汚泥に流れを与える低速担体浮遊機であって、
回転軸の下端部と反応槽の槽底中央部との間で下水汚泥に乱流を発生させる一枚の攪拌補助羽根を回転軸の下端部に有し、該一枚の攪拌補助羽根は、その正面が回転軸の中心線からオフセットするとともに、取付側端が前記オフセット方向に対して直角な方向に中心線から偏倚した位置で下方へ向けて突設されていることを特徴とする低速担体浮遊機。
【発明の詳細な説明】
【０００１】
【発明の属する技術分野】
本発明は、担体添加活性汚泥法で、反応槽内の担体の浮遊効果を増大し担体の沈殿を防止するため、反応槽内の下水汚泥に流れを与える低速担体浮遊機に関する。
【０００２】
【従来の技術】
下水処理場には、下水処理において脱窒素・脱燐処理の効率を向上させるために、担体添加活性汚泥法が導入されている。担体添加活性汚泥法では、菌の付着・生殖した担体を反応槽内の下水汚泥の中で浮遊させて、脱窒素・脱燐処理を行う。
【０００３】
この担体添加活性汚泥法で効率よく脱窒素・脱燐処理を行うには、担体と下水汚泥の接触面積、接触頻度を大きくすることが望ましい。そこで、担体と下水汚泥の接触面積、接触頻度を大きくするため、下水汚泥の中に多量の担体を混合している。
【０００４】
ところが、担体は、比重が水より大であるので、単に下水汚泥の中に多量に混合するだけでは沈殿し、圧密状態になって担体に付着した菌を死滅させてしまう。従って、担体を下水汚泥中で浮遊させるために、下水汚泥に流れを与える必要がある。
【０００５】
そこで、反応槽には、下水汚泥に流れを与えて担体を下水汚泥中で浮遊させるための低速担体浮遊機が設けられている。低速担体浮遊機は、図６に示すように、反応槽１の天井２の中央に設置された駆動部３から反応槽１内へ回転軸４を垂設し、この回転軸４に攪拌羽根５を設けたものであって、攪拌羽根５の回転で反応槽１内の下水汚泥Ｗに流れを与える。
【０００６】
担体Ｃはスポンジのように柔らかい物質であり、強い流れを与えると担体Ｃに損傷を生ずるおそれがあるので、攪拌羽根５の回転速度は、３〜１０ｒｐｍ程度とし、反応槽１内において下水汚泥Ｗに１０ｃｍ／ｓｅｃ程度の低速の流れを与えている。
【０００７】
【発明が解決しようとする課題】
しかし、低速担体浮遊機では、攪拌羽根５の回転速度がこのように低速であるので、回転軸４の下端部と反応槽１の槽底中央部６との間では下水汚泥Ｗに極めて僅かな流れしか生じないか、あるいは流れが全くない状態となり、反応槽１の槽底中央部６に担体Ｃが沈殿して、担体Ｃに付着した菌を死滅させてしまうおそれがある。
【０００８】
本発明は、担体添加活性汚泥法におけるかかる問題を解決するものであって、低速担体浮遊機の回転軸の下端部と反応槽の槽底中央部との間で、下水汚泥に乱流を発生させ、沈殿しようとする担体に流速を与えて浮遊効果を高め、沈殿を防止することのできる低速担体浮遊機を提供することを目的とする。
【０００９】
【課題を解決するための手段】
本発明は、担体添加活性汚泥法で、反応槽内に担体を浮遊させるため、反応槽内へ回転軸を垂設して回転軸に攪拌羽根を設け、攪拌羽根の回転で反応槽内の下水汚泥に流れを与える低速担体浮遊機において、回転軸の下端部と反応槽の槽底中央部との間で下水汚泥に乱流を発生させる攪拌補助羽根を、回転軸の下端部に取付けることにより上記課題を解決している。
【００１０】
この低速担体浮遊機は、回転軸を駆動して攪拌羽根を回転させ、反応槽内の下水汚泥に流れを与えて担体を下水汚泥中で浮遊させる。このとき攪拌羽根の回転に伴って攪拌補助羽根が回転し、回転軸の下端部と反応槽の槽底中央部との間で、下水汚泥に乱流を発生させるので、沈殿しようとする担体に流速を与えて浮遊させ沈殿を防止することができる。
【００１１】
【発明の実施の形態】
図１は、本発明の実施の一形態である低速担体浮遊機の構成図、図２は攪拌補助羽根の正面図、図３は攪拌補助羽根の底面図、図４は攪拌補助羽根の側面図である。
【００１２】
低速担体浮遊機は、図１に示すように、反応槽１の天井２の中央に設置された駆動部３から反応槽１内へ回転軸４を垂設し、この回転軸４に攪拌羽根５を設けたものであり、回転軸４の下端部には攪拌補助羽根７が取付けられている。
攪拌補助羽根７は、図３に示すように、その正面８が回転軸４の中心線Ｏから距離Ｌ1 だけオフセットし、取付側端９がオフセット方向に対して直角な方向に中心線Ｏから距離Ｌ2 だけ偏倚した位置で下方へ向けて突設されている。
【００１３】
下水処理を行う場合には、反応槽１内の下水汚泥Ｗの中に担体Ｃを混合し、駆動部３で回転軸４を駆動して攪拌羽根５を３〜１０ｒｐｍ程度の低速で回転させ、反応槽１内の下水汚泥Ｗに流れを与えて担体Ｃを下水汚泥Ｗ中で浮遊させる。このとき攪拌羽根５の回転に伴って攪拌補助羽根７が回転する。攪拌補助羽根７は、もし、取付側端９が回転軸４の中心線Ｏ上となるように取付けられていると、回転軸４の下端部と反応槽１の槽底中央部６との間で回転軸４の中心線Ｏを中心とする回転流が発生して、槽底中央部６に担体Ｃが集積してしまう。しかし、本発明の低速担体浮遊機では、攪拌補助羽根７が回転軸４の中心線Ｏからオフセットした位置に取付けられているので、攪拌補助羽根７の回転によって、下水汚泥Ｗには回転軸４の中心線Ｏを中心とする回転方向のみでなく、半径方向への力も作用する。さらに、取付側端９がオフセット方向に対して直角方向に中心線Ｏから偏倚していると、半径方向の内外双方への力が作用する。従って、回転軸４の下端部と反応槽１の槽底中央部６との間で、下水汚泥Ｗに乱流を発生させるので、槽底中央部６に集積しようとする担体Ｃに不規則な流速を与えて浮遊させ沈殿を防止することができる。
【００１４】
図５は本発明の他の実施の形態である低速担体浮遊機の攪拌補助羽根の側面図である。
ここでは、攪拌補助羽根７は、回転軸４の中心線Ｏからオフセットし、且つ取付側端９がオフセット方向に対して直角方向に中心線Ｏから偏倚した位置において、正面８が水平面に対して角度θだけ傾斜するように取付けられている。
【００１５】
この攪拌補助羽根７は、回転によって、下水汚泥Ｗに回転軸４の中心線Ｏを中心とする回転方向及び半径方向に加えて上下方向への力も作用させる。従って、回転軸４の下端部と反応槽１の槽底中央部６との間で、下水汚泥Ｗに大きな乱流を発生させるので、槽底中央部６に集積しようとする担体Ｃに更に不規則な流速を与えて浮遊させ沈殿を防止することができる。
【００１６】
【発明の効果】
以上説明したように、本発明の低速担体浮遊機は、回転軸の下端部と反応槽の槽底中央部との間で、下水汚泥に乱流を発生させ、沈殿しようとする担体に流速を与えて浮遊効果を高め、沈殿を防止する。従って、下水処理において脱窒素・脱燐処理の効率を向上させることができる。
【図面の簡単な説明】
【図１】本発明の実施の一形態である低速担体浮遊機の構成図である。
【図２】攪拌補助羽根の正面図である。
【図３】攪拌補助羽根の底面図である。
【図４】攪拌補助羽根の側面図である。
【図５】本発明の他の実施の形態である低速担体浮遊機の攪拌補助羽根の側面図である。
【図６】従来の低速担体浮遊機の構成図である。
【符号の説明】
１      反応槽
２      天井
３      駆動部
４      回転軸
５      攪拌羽根
６      槽底中央部
７      攪拌補助羽根
８      正面
９      取付側端
Ｃ      担体
Ｏ      中心線
Ｗ      下水汚泥
【図１】
0004230023.tif 000002
【図２】
0004230023.tif 000003
【図３】
0004230023.tif 000004
【図４】
0004230023.tif 000005
【図５】
0004230023.tif 000006
【図６】
0004230023.tif 000007